(57)【要約】【課題】  周囲への音声拡散を防ぎ、かつ複数種類の音声を同時に放送することができるバス停用拡声装置を得る。【解決手段】  可聴音信号によって超音波帯域に属する搬送波を変調する変調器２２と、変調器２２からの変調信号を超指向性の音波として放射し、当該超指向性の音波を介して可聴音を伝達させるパラメトリックスピーカ１０と、パラメトリックスピーカ１０からの可聴音が到達する可聴エリア３０に人間が進入したことを感知する人感センサ１１と、複数の音声案内データを保持し、人感センサから可聴エリアに人間が進入した旨の信号を受け取ると、その信号に対応する音声案内データを選択して可聴音信号に変換し、変調器２２に供給する音声制御部２１とを備える。【選択図】        図１
2006157403.tif 000002
【特許請求の範囲】
【請求項１】
音声案内を伝達するためにバス停に設置されるバス停用拡声装置であって、
可聴音信号によって超音波帯域に属する搬送波を変調する変調器と、
前記変調器からの変調信号を超指向性の音波として放射し、当該超指向性の音波を介して可聴音を伝達させるパラメトリックスピーカと、
前記パラメトリックスピーカからの可聴音が到達する可聴エリアに人間が進入したことを感知する人感センサと、
複数の音声案内データを保持し、前記人感センサから可聴エリアに人間が進入した旨の信号を受け取ると、その信号に対応する音声案内データを選択して可聴音信号に変換し、前記変調器に供給する音声制御部とを備えたことを特徴とするバス停用拡声装置。
【請求項２】
パラメトリックスピーカは、バス停における音声案内を要する場所に屋根から地面に向けて音波を放射するように設置されたことを特徴とする請求項１記載のバス停用拡声装置。
【発明の詳細な説明】
【技術分野】
【０００１】
この発明は、バス停に設置され、音声案内を行うバス停用拡声装置に関するものである。
【背景技術】
【０００２】
図３は従来のバス停用拡声装置の設置例を説明する図である。図に示すように、バス停用拡声装置は、時刻表１０１、案内板１０２等を備えたバス停１００に設置される。バス停用拡声装置のダイナミックスピーカ２０１はバス停１００の屋根１０３に設置され、放射音２０２を発生する。ダイナミックスピーカ２０１からの放射音２０２は、バス停１００内およびその付近に拡散して伝達される。当分野の先行技術には、例えば特許文献１がある。
【０００３】
【特許文献１】特開２０００−４０２９１６号公報
【発明の開示】
【発明が解決しようとする課題】
【０００４】
以上のように、従来のバス停用拡声装置はダイナミックスピーカ２０１から音声を放射していたので、放射音２０２が図３のように周囲に拡散するためバス停１００が設置される周辺の住宅街等では騒音となっていた。したがって、このバス停用拡声装置を設置できる場所が限定されてしまうという課題があった。また、バス停１００に複数のダイナミックスピーカを設置して、それぞれから異なる音声案内メッセージを同時に放送すると、各音声案内メッセージが混ざり合ってしまうため、複数種類の音声案内メッセージを同時に放送することができないという課題があった。
【０００５】
この発明は、上記のような課題を解決するためになされたものであり、周囲への音声拡散を防ぎ、かつ複数種類の音声を同時に放送することができるバス停用拡声装置を得ることを目的とする。
【課題を解決するための手段】
【０００６】
この発明に係るバス停用拡声装置は、可聴音信号によって超音波帯域に属する搬送波を変調する変調器と、変調器からの変調信号を超指向性の音波として放射し、当該超指向性の音波を介して可聴音を伝達させるパラメトリックスピーカと、パラメトリックスピーカからの可聴音が到達する可聴エリアに人間が進入したことを感知する人感センサと、複数の音声案内データを保持し、人感センサから可聴エリアに人間が進入した旨の信号を受け取ると、その信号に対応する音声案内データを選択して可聴音信号に変換し、変調器に供給する音声制御部とを備えたものである。
【発明の効果】
【０００７】
この発明によれば、バス停用拡声装置は、可聴音信号によって超音波帯域に属する搬送波を変調する変調器と、変調器からの変調信号を超指向性の音波として放射し、当該超指向性の音波を介して可聴音を伝達させるパラメトリックスピーカと、パラメトリックスピーカからの可聴音が到達する可聴エリアに人間が進入したことを感知する人感センサと、複数の音声案内データを保持し、人感センサから可聴エリアに人間が進入した旨の信号を受け取ると、その信号に対応する音声案内データを選択して可聴音信号に変換し、変調器に供給する音声制御部とを備えるように構成したので、周囲への音声拡散を防ぎ、かつ複数種類の音声を同時に放送することができるバス停用拡声装置を得られる効果がある。
【発明を実施するための最良の形態】
【０００８】
実施の形態１．
図１はこの発明の実施の形態１によるバス停用拡声装置のブロック図である。図に示すように、バス停用拡声装置は、パラメトリックスピーカ１０，１０’、処理装置２０を備える。処理装置２０は、音声制御部２１、変調器２２，２２’、増幅器２３を備える。パラメトリックスピーカ１０，１０’はそれぞれ人感センサ１１，１１’を備える。
【０００９】
図２は、バス停用拡声装置の設置例を示す図である。図に示すように、バス停用拡声装置は、時刻表１０１、案内板１０２等が設置されたバス停１００に設置される。放射器となるパラメトリックスピーカ１０，１０’はバス停１００の屋根１０３に収納され、時刻表１０１、案内板１０２が設置された場所など音声案内が必要な場所に屋根から地面に向けて音声を放射するように設置される。あるいは、時刻表１０１、案内板１０２付近の地面に設置されて屋根１０３に向けて音声を放射するようにしてもよい。パラメトリックスピーカ１０，１０’は、それぞれ可聴エリア３０，３０’にのみ音声を伝達させる。ここでは、２つのパラメトリックスピーカ１０，１０’およびそれぞれに対応する変調器２２，２２’を備えるようにしたが、所望により各設置数を増減させてもよい。処理装置２０は、図示しないが屋根１０３に収納されてもよいし地面に設置されてもよい。
【００１０】
人感センサ１１，１１’は、それぞれパラメトリックスピーカ１０，１０’の音声の可聴エリア３０，３０’に人間が進入したことを感知するセンサであり、感知した場合はその旨を音声制御部２１に外部制御信号２４として供給する。音声制御部２１は、再生する複数の音声案内メッセージを保持し、上記のように受け取った外部制御信号２４に応じて適切な音声案内メッセージを選択する。例えば、図１において、人が時刻表１０１を読んでいるとすると、人感センサ１１がその人を感知して音声制御部２１に外部制御信号２４として供給する。音声制御部２１は受け取った外部制御信号２４に基づいて時刻表１０１の上部に設置される人感センサ１１からの信号であることを判断し、時刻表１０１を読む人に適した音声案内メッセージを選択する。また、音声制御部２１は、案内板１０２の上部に設置される人感センサ１１’から外部制御信号２４を受け取った場合は、観光案内メッセージ等を選択する。
【００１１】
音声制御部２１は、選択した音声案内メッセージを可聴音信号に変換し、可聴音信号に応じて変調器２２または２２’に供給する。変調器２２，２２’は、受け取った可聴音信号によって超音波帯域の搬送波を変調し、その変調信号を増幅器２３に送出する。増幅器２３は受け取った変調信号を増幅して、対応するパラメトリックスピーカ１０または１０’に供給する。パラメトリックスピーカ１０または１０’は、受け取った変調信号を超指向性の音波として空気中に放射する。この超指向性の音波を介して可聴音が伝達される。放射される音声案内メッセージは、超音波の特性を残して指向性が強くなり、可聴エリア３０または３０’のみで音声が聞こえることとなる。
【００１２】
以上のようにこの実施の形態１によれば、パラメトリックスピーカ１０，１０’をバス停１００における音声案内が必要な場所の天井部に設置し、音声制御部２１が場所に応じた音声案内メッセージを選択し、変調器２２，２２’が可聴音信号により超音波帯域の搬送波を変調し、パラメトリックスピーカ１０，１０’が超指向性の音波として放射するようにしたので、音声案内メッセージが一定範囲のみに伝達され、住宅街等のバス停１００の周辺環境に騒音を生じないという効果が得られる。また、パラメトリックスピーカ１０，１０’を複数台設置することにより、音声が混ざり合うことなく設置場所に応じた複数の異なる音声案内メッセージを同時に放送することができるという効果が得られる。
【図面の簡単な説明】
【００１３】
【図１】この発明の実施の形態１によるバス停用拡声装置のブロック図である。
【図２】同実施の形態１によるバス停用拡声装置の設置例を示す図である。
【図３】従来のバス停用拡声装置の設置例を示す図である。
【符号の説明】
【００１４】
１０，１０’  パラメトリックスピーカ、１１，１１’  人感センサ、２０  処理装置、２１  音声制御部、２２，２２’  変調器、２３  増幅器、２４  外部制御信号、３０，３０’  可聴エリア、１００  バス停、１０１  時刻表、１０２  案内板、１０３  屋根、２０１  ダイナミックスピーカ、２０２  放射音。
【図１】
2006157403.tif 000003
【図２】
2006157403.tif 000004
【図３】
2006157403.tif 000005